(57)【特許請求の範囲】
【請求項１】
シャッター開閉用開口の両側に起立配置された左右一対のガイドレール間を昇降開閉する上下複数段のパネルを、それらの両側方で一連に連繋し且つ前記ガイドレール上方のパネル駆動用スプロケットに噛合して吊持するパネルシャッター用ローラチェーンにおいて、
左右一対のローラリンクプレートと、該ローラリンクプレートの両端部相互間を一体的に連結するブッシュと、該ブッシュの外周に回転自在に遊嵌されたチェーンローラと、前記ローラリンクプレートの両端部外側に配置され、前記ブッシュに挿通されたリンクピンで連結されるピンリンクプレートとを備え、複数対の前記ローラリンクプレートと複数対の前記ピンリンクプレートとを交互に屈曲回動自在に連結してパネル吊持個所で分離された標準チェーンと、該標準チェーンの相互を分離個所で接続するチェーンアタッチメントとから成り、該チェーンアタッチメントは、左右一対のローラリンクプレートの一端部相互間のみをブッシュで一体的に連結して該ブッシュの外周にチェーンローラを回転自在に遊嵌し、且つ他端部にロングピン挿通孔を設けて成る内側ジョイントリンクと、この内側ジョイントリンクの外側に配置されるピンリンクプレートの一端部に、前記ロングピン挿通孔に対応するロングピン挿通孔を設け、且つ他端部に挿脱可能なリンクピンを設けて成る外側ジョイントリンクと、この外側ジョイントリンクと前記内側ジョイントリンクとを、これらのロングピン挿通孔を介して屈曲回動自在に連結するロングピンと、前記内側ジョイントリンクの内側で前記ロングピンに遊嵌された回転自在なチェーンローラと、前記外側ジョイントリンクの外側で前記ロングピンに取付けられた回転自在なガイドローラとから成り、
前記分離された一方の標準チェーンのピンリンクプレート間に前記内側ジョイントリンクのローラリンクプレートを介入させて両者を標準チェーンのリンクピンで屈曲回動自在に連結し、且つ前記分離された他方の標準チェーンのローラリンクプレートを前記外側ジョイントリンクのピンリンクプレート間に介入させて両者を前記標準チェーンのリンクピンと同径に形成されたリンクピンで屈曲回動自在に連結し、前記ロングピンに前記パネルを吊持させるようにしたことを特徴とするパネルシャッター用ローラチェーン。
【発明の詳細な説明】
【０００１】
【産業上の利用分野】
この発明は、建物の開口部を昇降開閉させる複数枚のパネルをそれぞれの両側方で吊持するパネルシャッター用ローラチェーンに関するものである。
【０００２】
【従来の技術】
従来のパネルシャッターにおいて、シャッター開閉用開口の両側に起立配置された左右一対のガイドレール間を昇降開閉する上下複数段のパネルは、前記ガイドレールの上方に配置されているパネル駆動用スプロケットに噛合した左右のローラチェーンで吊持され、前記パネル駆動用スプロケットの正逆回転駆動によって、前記ガイドレール間を昇降開閉動作するようになっている。
【０００３】
ところで、この種のパネルシャッターにおける従来の前記ローラチェーンは、市販されている通常の標準チェーンを採用し、この標準チェーンにおけるパネル吊持部分に特殊形状のリンクプレートを特別な自動組立機械で組付け、そのリンクプレートに取り付けられたロングピンでパネルを吊持する構造となっている。ここで、前記市販の標準チェーンはリンクプレートにリンクピンがカシメ付けされた構造となっている。
【０００４】
【発明が解決しようとする課題】
従来のパネルシャッター用ローラチェーンは以上のように構成されているので、市販の標準チェーンに特殊形状のリンクプレートを組付ける際に特別な自動組立機械等の設備が必要となり、さらにその組付け時には部品加工を要するなど、コスト面で大きな課題があった。
【０００５】
この発明は上記のような課題を解決するためになされたもので、市販の標準チェーンにパネル吊持用の特殊なチェーンを、特別な自動組立機械等の設備を必要とせずに簡単に組み立てることができ、その組立段階での部品加工をも必要とせずに大幅なコストダウンが図れるパネルシャッター用ローラチェーンを得ることを目的とする。
【０００６】
【課題を解決するための手段】
この発明に係るパネルシャッター用ローラチェーンは、左右一対のローラリンクプレートと、該ローラリンクプレートの両端部相互間を一体的に連結するブッシュと、該ブッシュの外周に回転自在に遊嵌されたチェーンローラと、前記ローラリンクプレートの両端部外側に配置され、前記ブッシュに挿通されたリンクピンで連結されるピンリンクプレートとを備え、複数対の前記ローラリンクプレートと複数対の前記ピンリンクプレートとを交互に屈曲回動自在に連結してパネル吊持個所で分離された標準チェーンと、該標準チェーンの相互を分離個所で接続するチェーンアタッチメントとから成り、該チェーンアタッチメントは、左右一対のローラリンクプレートの一端部相互間のみをブッシュで一体的に連結して該ブッシュの外周にチェーンローラを回転自在に遊嵌し、且つ他端部にロングピン挿通孔を設けて成る内側ジョイントリンクと、この内側ジョイントリンクの外側に配置されるピンリンクプレートの一端部に、前記ロングピン挿通孔に対応するロングピン挿通孔を設け、且つ他端部に挿脱可能なリンクピンを設けて成る外側ジョイントリンクと、この外側ジョイントリンクと前記内側ジョイントリンクとを、これらのロングピン挿通孔を介して屈曲回動自在に連結するロングピンと、前記内側ジョイントリンクの内側で前記ロングピンに遊嵌された回転自在なチェーンローラと、前記外側ジョイントリンクの外側で前記ロングピンに取付けられた回転自在なガイドローラとから成り、前記分離された一方の標準チェーンのピンリンクプレート間に前記内側ジョイントリンクのローラリンクプレートを介入させて両者を標準チェーンのリンクピンで屈曲回動自在に連結し、且つ前記分離された他方の標準チェーンのローラリンクプレートを前記外側ジョイントリンクのピンリンクプレート間に介入させて両者を前記標準チェーンのリンクピンと同径に形成されたリンクピンで屈曲回動自在に連結し、前記ロングピンに前記パネルを吊持させるようにしたものである。
【０００７】
【作用】
この発明におけるパネルシャッター用ローラチェーンは、内側ジョイントリンクと外側ジョイントリンクとをロングピンで屈曲回動自在に連結してユニット化することにより、チェーンアタッチメントが予め組み立てられているので、標準チェーンをパネル吊持個所で分離し、その一方の標準チェーンのピンリンクプレート間に前記内側ジョイントリンクのブッシュ側を介入させれば、該ブッシュ内部と前記標準チェーンのピンリンクプレートのピン孔とを容易に合致連通させることができ、この状態で前記ピン孔と前記ブッシュ内にリンクピンを挿入するだけで前記一方の標準チェーンとチェーンアタッチメントとを容易に連結できる。また、前記外側ジョイントリンクは挿脱可能なリンクピンを備えているので、このリンクピンを引き抜いて前記外側ジョイントリンクのピンリンクプレート間に他方の標準チェーンのローラリンクプレートを介入させれば、該ローラリンクプレート間のブッシュ内部と前記外側ジョイントリンクのピン孔とを容易に合致連通させることができ、この状態で前記ピン孔と前記ブッシュ内に前記リンクピンを挿入するだけで他方の標準チェーンとチェーンアタッチメントとを容易に連結できる。従って、自動組立機械等の設備や部品加工を必要とせずに標準チェーンとチェーンアタッチメントとを簡単に組み立てることができ、コストダウンが図れる。
【０００８】
【実施例】
実施例１．
以下、この発明の実施例を図について説明する。図１はパネルシャッターの概略的な正面図、図２は図１の要部を示す縦断面図である。
図において、１はシャッター開閉用開口の両側に起立配置された左右一対のガイドレールであり、これらのガイドレール１は対向面側にパネル昇降ガイド用の縦長開口を有する断面ほぼコ字状部材からなっている。
【０００９】
２は前記ガイドレール１の上部に配置された収納ボックスであり、この収納ボックス２内には前記ガイドレール１の上端部近傍に位置する左右のパネル駆動用スプロケット３が配置され、このパネル駆動用スプロケット３は図示しない開閉機（モータ）で正逆回転駆動されるようになっている。
【００１０】
４は前記パネル駆動用スプロケット３に噛合させた左右のローラチェーンであり、これらのローラチェーン４は、前記ガイドレール１間を昇降開閉する上下複数段のパネル５をそれぞれの両側方で吊持している。
【００１１】
６は各パネル５の上部両側に軸支された上部ガイドローラ、７は各パネル５の下部両側に軸支された下部ガイドローラ、８は前記収納ボックス２内に配置されて前記パネル駆動用スプロケット３をパネル収納方向側に通過したパネル５の上部ガイドローラ６を転動自在に支承する収納レール、９は前記収納ボックス２内に配置されてパネル５の下部をその上部と同じ移動方向に誘導するためのパネルガイドである。
【００１２】
以上において、前記各パネル５は、前記パネル駆動用スプロケット３の正逆回転によるローラチェーン４の送り作動によって、前記ガイドレール１に沿った直列姿勢の縦移動と、前記収納レール８に沿った並列姿勢の横移動とに継送されるようになっている。
【００１３】
次に、ローラチェーン４の具体的構成について説明する。このローラチェーン４は、図３に示すように市販の標準チェーン１０，１１と、これらの標準チェーン１０，１１相互を接続してパネル５を吊持するためのチェーンアタッチメント２０とから成っている。
【００１４】
前記標準チェーン１０，１１は、左右一対のローラリンクプレート１２，１３と、該ローラリンクプレート１２，１３の両端部相互間を一体的に連結するブッシュ１４と、該ブッシュ１４の外周に回転自在に遊嵌されたチェーンローラ１５と、前記ローラリンクプレート１２，１３の両端部外周に配置され、前記ブッシュ１４を貫通するリンクピン１６で屈曲回動自在に連結された左右一対のピンリンクプレート１７，１８とから成り、複数対のローラリンクプレート１２，１３と複数対のピンリンクプレート１７，１８とを交互に前記リンクピン１６で屈曲回動自在に連結した構成となっている。
【００１５】
ここで、前記標準チェーン１０，１１はパネル吊持個所で分離されており、その一方の標準チェーン１０におけるチェーンアタッチメント２０の接続端側のリンクプレートはローラリンクプレート１２，１３となっており、他方の標準チェーン１１におけるチェーンアタッチメント２０の接続端側のリンクプレートはピンリンクプレート１７，１８となっている。
【００１６】
前記チェーンアタッチメント２０は、内側ジョイントリンク２１と外側ジョイントリンク２２とを備えている。内側ジョイントリンク２１は、左右一対のローラリンクプレート２３，２４の一端部相互間のみをブッシュ２５で一体的に連結して該ブッシュ２５の外周にチェーンローラ２６を回転自在に遊嵌し、且つ前記ローラリンクプレート２３，２４の他端部にロングピン挿通孔２３ａ，２４ａを設けた構成となっている。また、外側ジョイントリンク２２は、前記内側ジョイントリンク２１のローラリンクプレート２３，２４におけるロングピン挿通孔２３ａ，２４ａ側の外側に配置された左右一対のピンリンクプレート２７，２８からなり、該ピンリンクプレート２７，２８の一端部に設けると共に、他端部にリンクピン２９を挿脱可能に貫通させた構成となっている。
【００１７】
そして、前記内側ジョイントリンク２１と外側ジョイントリンク２２は、これらのローラリンクプレート２３，２４およびピンリンクプレート２７，２８のロングピン挿通孔２３ａ，２４ａおよび２７ａ，２８ａに挿通されたロングピン３０で屈曲回動自在に連結されている。その連結時において、前記ロングピン３０には、前記ローラリンクプレート２３，２４間でチェーンローラ３１が回転自在に遊嵌され、前記ピンリンクプレート２３の外側で前記上部ガイドローラ６が回転自在に取り付けられている。
【００１８】
ここで、前記内側ジョイントリンク２１および外側ジョイントリンク２２のロングピン挿通孔２３ａ，２４ａおよび２７ａ，２８ａは、前記標準チェーン１０，１１のリンクピン１６が挿入されているピン孔よりも大径に形成され、内側ジョイントリンク２１のローラリンクプレート２３，２４間で前記ロングピン３０の遊嵌されたチェーンローラ３１の外径は、標準チェーン１０，１１のチェーンローラ１５の外径と同径に設定されている。
【００１９】
また、ロングピン３０は大径軸部３０ａと小径軸部３０ｂとからなり、該小径軸部３０ｂは標準チェーン１０，１１のリンクピン１６よりも大径に形成されて前記ロングピン挿通孔２３ａ，２４ａおよび２７ａ，２８ａに挿通され、その小径軸部３０ｂに前記チェーンローラ６が取り付けられている。さらに、外側ジョイントリンク２２が備えるリンクピン２９は、標準チェーン１０，１１のリンクピン１６と同径に形成され、一端部に抜け止め用の頭部２９ａを、且つ他端部の直交方向のピン孔２９ｂを有しており、このピン孔２９ｂに割りピン（図示せず）が着脱可能に挿入されるようになっている。
【００２０】
次に、分離された標準チェーン１０，１１とチェーンアタッチメント２０との組立について説明する。なお、チェーンアタッチメント２０は図３に示すように予め組立られているものである。
【００２１】
まず、チェーンアタッチメント２０の外側ジョイントリンク２２のリンクピン２９と、内側ジョイントリンク２１に接続すべき標準チェーン１１の被接続端側のリンクピン１６とを引き抜く。
【００２２】
その引き抜き後において、一方の標準チェーン１０の被接続端部となるローラリンクプレート１２，１３を前記外側ジョイントリンク２２のピンリンクプレート２７，２８間に介入させ、該ピンリンクプレート２７，２８のピン孔と前記ローラリンクプレート１２，１３のブッシュ１４とを連通させ、その連通孔部にリンクピン２９を差し込み、該リンクピン２９のピン孔２９ｂに割りピンを差し込むことにより、前記一方の標準チェーン１０と外側ジョイントリンク２２とを屈曲回動自在に連結する。
【００２３】
また、内側ジョイントリンク２１の被接続端側となるチェーンローラ２６側を他方の標準チェーン１１の被接続端側であるピンリンクプレート１７，１８間に嵌入し、該ピンリンクプレート１７，１８の開放されたピン孔と前記内側ジョイントリンク２１側のブッシュ２５内とを連通させ、その連通孔部に先に引き抜いたリンクピン１６を差し込むことにより、前記他方の標準チェーン１１と前記内側ジョイントリンク２１とを屈曲回動自在に連結する。
【００２４】
このようにして、分離された両方の標準チェーン１０，１１とチェーンアタッチメント２０とが図６，図７に示すように一連に連結されてローラチェーン４が組立られる。そして、組立られたローラチェーン４は図２に示すようにパネル駆動用スプロケット３に噛合され、該パネル駆動用スプロケット３から垂下するローラチェーン４のロングピン３０を、各パネル５の上部両側に設けられて該パネル５の側端面に開口するピン孔に差し込むことにより、各パネル５は前記ロングピン３０を介して左右のローラチェーン４に吊持される。
【００２５】
以上の実施例１では、ロングピン３０の大径軸部３０ａが図６に示すように各パネル５の上部両側のピン孔に差し込まれることにより、ローラチェーン４はパネル５の左右両側端面よりも外側に配置され、そのローラチェーン４よりも更に外側にガイドローラ６が配置された状態となる。
【００２６】
そして、パネル駆動用スプロケット３を正逆回転駆動されると、これに噛合したローラチェーン４の送り作動によって、各パネル５は、ガイドレール１に沿った直列姿勢の縦移動と、収納レール８に沿った並列姿勢の横移動とに継送され、その並列姿勢の横移動時にパネル５は上部ガイドローラ６を介して収納レール８に吊持される。
【００２７】
実施例２．
図８はこの発明の実施例２によるローラチェーンの部分的断面を示す正面図、図９は図８を左側から見た側面図である。
この実施例２では、ロングピン３０を大径軸部３０ａと中間径軸部３０ｂと小径軸部３０ｃとからなる段付ピン構成とし、その小径軸部３０ｃを他のリンクピン１６，２９と同径に形成し、前記中間径軸部３０ｂにガイドローラ６を回転自在に取り付けると共に、前記小径軸部３０ｃでチェーンアタッチメント２０の内側ジョイントリンク２１と外側ジョイントリンク２２とを実施例１の場合と同様の要領で連結し、前記大径軸部３０ａで各パネル５の左右両側を実施例１の場合と同様の要領で吊持する。
【００２８】
従って、この実施例２では、各パネル５の左右両側端面よりも外側にガイドローラ６が配置され、このガイドローラ６よりも更に外側にローラチェーン４が配置された構成となっている。なお、この実施例２のその他の構成は実施例１と略同一であるため、実施例１と同一または相当部分には同一符号を付して説明を省略する。
【００２９】
なお、実施例１および実施例２で述べたローラチェーン４の組立状態において、標準チェーン１０，１１の全てのチェーンローラ１５とチェーンアタッチメント２０のチェーンローラ２６，３１とは、同一ピッチに配列された状態となるものである。
【００３０】
【発明の効果】
以上のように、この発明によれば、分離した標準チェーン相互を接続してパネルを吊持するためのチェーンアタッチメントが内側ジョイントリンクと外側ジョイントリンクとからなって、それらのジョイントリンク相互がガイドローラを有するロングピンで屈曲回動自在に連結され、前記内側ジョイントリンクは一方の標準チェーンとの被接続端側に該標準チェーンと同様のブッシュを有して該ブッシュにはチェーンローラが遊嵌され、また、外側ジョイントリンクは他方の標準チェーンとの被接続端側に該標準チェーンのリンクピンと同径のリンクピンを挿脱可能に備えているので、該リンクピンと、前記一方の標準チェーンが前記内側ジョイントリンクとの被接続端側に備えている挿脱可能なリンクピンとを利用して、両方の標準チェーンとチェーンアタッチメントとを人為的作業で容易に組み立てることができ、その組立に自動組立機械等の設備を必要とせず、また組立段階での部品加工をも必要としないので、大幅なコストダウンが図れるという効果がある。
【図面の簡単な説明】
【図１】パネルシャッターの概略的な正面図である。
【図２】図１の要部を示す縦断面図である。
【図３】この発明の実施例１によるローラチェーンの要部を分離した正面図である。
【図４】図４（Ａ）は図３のローラチェーンにおける外側ジョイントリンクの側面図、図４（Ｂ）は図４（Ａ）の正面図である。
【図５】図５（Ａ）は図３のローラチェーンにおける内側ジョイントリンクの側面図、図５（Ｂ）は図５（Ａ）の正面図である。
【図６】図３のローラチェーンの組立状態を示す正面図である。
【図７】図６の左側から見た側面図である。
【図８】この発明の実施例２によるローラチェーンの一部断面を示す正面図である。
【図９】図８の左側から見た側面図である。
【符号の説明】
１  ガイドレール
３  パネル駆動用スプロケット
４  ローラチェーン
５  パネル
６  ガイドローラ
１０，１１  標準チェーン
１２，１３，２３，２４  ローラリンクプレート
１４  ブッシュ
１５，２６，３１  チェーンローラ
１６，２９  リンクピン
１７，１８，２７，２８  ピンリンクプレート
２０  チェーンアタッチメント
２１  内側ジョイントリンク
２２  外側ジョイントリンク
２３ａ，２４ａ  ロングピン挿通孔
２５  ブッシュ
３０  ロングピン
【図１】
0003542412.tif 000002
【図２】
0003542412.tif 000003
【図３】
0003542412.tif 000004
【図４】
0003542412.tif 000005
【図５】
0003542412.tif 000006
【図６】
0003542412.tif 000007
【図７】
0003542412.tif 000008
【図８】
0003542412.tif 000009
【図９】
0003542412.tif 000010